(57)【要約】【課題】携帯電話機等のカメラに適用される撮像レンズにおいて、高い光学性能を確保しつつ、薄型化、小型化を図る。【解決手段】物体側から順に、正の屈折率をもつ第１レンズ１、開口絞りＳＤ、正の屈折率をもつと共に物体側に凹状をなすメニスカス形状の第２レンズ２、負の屈折率をもつと共に像面側の面が光軸近傍において像面側に凹状でかつ周辺部に向かうに連れて像面側に凸状をなす第３レンズ３を備え、第１レンズ１〜第３レンズ３は、全て樹脂材料により形成されると共に両面が全て非球面に形成され、かつ、第１レンズ１〜第３レンズ３のアッベ数をν１，ν２，ν３が、｜ν１−ν２｜＜２０、｜ν２−ν３｜＜２０、｜ν１−ν３｜＜２０、を満足するように形成されている。これによれば、軽量化、低コスト化を達成しつつ、高い光学性能を得ることができる。【選択図】図１
2006301221.tif 000002
【特許請求の範囲】
【請求項１】
物体側から像面側に向けて順に、正の屈折率をもつ第１レンズ、所定の口径をなす開口絞り、正の屈折率をもつと共に物体側に凹状をなすメニスカス形状の第２レンズ、負の屈折率をもつと共に像面側の面が光軸近傍において像面側に凹状でかつ周辺部に向かうに連れて像面側に凸状をなす第３レンズとを備え、
前記第１レンズ、第２レンズ、及び第３レンズは、全て樹脂材料により形成されると共に物体側及び像面側の両面が全て非球面に形成され、かつ、前記第１レンズのアッベ数をν１、前記第２レンズのアッベ数をν２、前記第３レンズのアッベ数をν３とするとき、下記条件式（１），（２），（３）を満たすことを特徴とする撮像レンズ。
（１）｜ν１−ν２｜＜２０
（２）｜ν２−ν３｜＜２０
（３）｜ν１−ν３｜＜２０
【請求項２】
前記第１レンズのアッベ数ν１、前記第２レンズのアッベ数ν２、及び前記第３レンズのアッベ数ν３は、下記条件式（４），（５），（６）を満たすことを特徴とする請求項１記載の撮像レンズ。
（４）３０＜ν１＜６０
（５）３０＜ν２＜６０
（６）３０＜ν３＜６０
【請求項３】
前記第１レンズの焦点距離をｆ１、レンズ全系の焦点距離をｆ、前記第１レンズの物体側の面から像面までの距離をＴＬとするとき、下記条件式（７），（８）を満たすことを特徴とする請求項１又は２に記載の撮像レンズ。
（７）０．９５＜ｆ１／ｆ＜１．０５
（８）ＴＬ／ｆ＜１．３５
【請求項４】
前記第３レンズの像面側の面から像面までの光軸上の間隔をＤ７、レンズ全系の焦点距離をｆとするとき、下記条件式（９）を満たすことを特徴とする請求項１ないし３いずれか一つに記載の撮像レンズ。
（９）２．０５＜ｆ／Ｄ７＜２．１７
【請求項５】
前記開口絞りから前記第３レンズの物体側の面までの光軸上の間隔をＤ３、レンズ全系の焦点距離をｆとするとき、下記条件式（１０）を満たすことを特徴とする請求項１ないし４いずれか一つに記載の撮像レンズ。
（１０）ｆ／Ｄ３＞５．２
【発明の詳細な説明】
【技術分野】
【０００１】
本発明は、ＣＣＤ等の固体撮像素子を用いたデジタルスチルカメラ等に使用される小型の撮像レンズに関し、特に、デジタルスチルカメラ、車載用カメラ、あるいは、携帯電話機、ＰＤＡ、携帯型パーソナルコンピュータ等に搭載され又は付属として接続して使用されるモバイルカメラ等に適した超小型の撮像レンズに関する。
【背景技術】
【０００２】
近年、デジタルスチルカメラ等の普及に伴い、電子撮像装置に用いられる撮像レンズとしては、高性能、低コスト、コンパクト化の要求が強くなってきている。例えば、高性能、低コスト、コンパクト化を満たすレンズ構成の多くは、バックフォーカスを十分に確保しつつ射出角度を小さくしたレトロフォーカスタイプを採用している。
また撮像素子の小型化に伴い、撮像装置全体としてもさらに小型化が図られており、これら小型の撮像装置で使用される撮像レンズとしては、従来から小型で及び携帯性を重視した１枚あるいは２枚のレンズ構成からなるものが多い。
一方、これらの撮像レンズには、従来に比べて高い光学性能が要求されているため、１枚あるいは２枚のレンズ構成では十分な光学性能を得ることが難しくなってきている。そこで、レンズの枚数を増やした３枚のレンズ構成をなす撮像レンズの開発が進められている（例えば、特許文献１、特許文献２、特許文献３、特許文献４参照）。
【０００３】
【特許文献１】特開平４−１５３６１２号公報
【特許文献２】特開平５−１８８２８４号公報
【特許文献３】特開平９−２８８２３５号公報
【特許文献４】特開平１０−４８５１６号公報
【発明の開示】
【発明が解決しようとする課題】
【０００４】
しかしながら、特許文献１ないし３に開示の撮像レンズでは、屈折率が１．７以上の高屈折率のガラスレンズを使用しており、コスト高になってしまうという問題がある。また特許文献４に開示の撮像レンズでは、第１レンズのパワーが小さいため小型化という点で十分ではない。
【０００５】
本発明は、上記の事情に艦みて成されたものであり、その目的とするところは、３群３枚という構成で、加工が容易な樹脂材料（プラスチック）を用い、特にレンズ全長がバックフォーカスを含めないで３ｍｍ以下であり、Ｆナンバーが２．８程度のレンズ明るさを有し、３０万画素程度の撮像素子に対応し得る高い光学性能を確保でき、安価及び超小型で単焦点の撮像レンズを提供することにある。
【課題を解決するための手段】
【０００６】
本発明の撮像レンズは、物体側から像面側に向けて順に、正の屈折率をもつ第１レンズ、所定の口径をなす開口絞り、正の屈折率をもつと共に物体側に凹状をなすメニスカス形状の第２レンズ、負の屈折率をもつと共に像面側の面が光軸近傍において像面側に凹状でかつ周辺部に向かうに連れて像面側に凸状をなす第３レンズとを備え、上記第１レンズ、第２レンズ、及び第３レンズは、全て樹脂材料により形成されると共に物体側及び像面側の両面が全て非球面に形成され、かつ、第１レンズのアッベ数をν１、第２レンズのアッベ数をν２、第３レンズのアッベ数をν３とするとき、下記条件式（１），（２），（３）
（１）｜ν１−ν２｜＜２０
（２）｜ν２−ν３｜＜２０
（３）｜ν１−ν３｜＜２０
を満足する、ことを特徴としている。
【０００７】
この構成によれば、第１レンズ〜第３レンズの全てが樹脂材料（プラスチック）により形成されているため、ガラスレンズに比べて複雑な形状を容易に加工でき（例えば非球面を容易に形成でき）、収差補正の自由度が増した分だけコンパクトな構成が可能となり、又、軽量化、低コスト化を達成できる。また、条件式（１），（２），（３）を満たすことにより、生産コストをさらに低減できる。
また、第１レンズ〜第３レンズの物体側及び像面側の両面全てを非球面としたことにより、光軸方向の薄型化を達成しつつ、球面収差、非点収差、コマ収差等の諸収差を良好に補正でき、高い光学性能を得ることができる。すなわち、第３レンズにおいては、仮に球面形状で同等の光学性能を得るにはさらに２枚以上のレンズが必要になり薄型化が困難になるが、両面を非球面とすることにより薄型化を達成できると共に、主に上光線側のコマ収差を補正しつつ諸収差を補正できる。また、第１レンズ及び第２レンズの両面を非球面とすることにより、薄型化を達成しつつ、レンズの全長が短いことで発生する球面収差、非点収差、コマ収差等の諸収差を補正することができる。
さらに、第３レンズにおいては、像面側の面が光軸近傍において像面側に凹状でかつ周辺部に向かうに連れて像面側に凸状をなすように形成されているため、射出角度及び外径を小さくすることができ、レンズの小型化を達成できる。
【０００８】
上記構成において、第１レンズのアッベ数ν１、第２レンズのアッベ数ν２、及び第３レンズのアッベ数ν３は、下記条件式（４），（５），（６）
（４）３０＜ν１＜６０
（５）３０＜ν２＜６０
（６）３０＜ν３＜６０
を満足する、構成を採用することができる。
この構成によれば、第１レンズ〜第３レンズとして、アッベ数ν１，ν２，ν３が３０〜６０の範囲に入った素材のレンズを利用することで、プラスチック材料の選定に自由度が増す。
【０００９】
上記構成において、第１レンズの焦点距離をｆ１、レンズ全系の焦点距離をｆ、第１レンズの物体側の面から像面までの距離をＴＬとするとき、下記条件式（７），（８）
（７）０．９５＜ｆ１／ｆ＜１．０５
（８）ＴＬ／ｆ＜１．３５
を満足する、構成を採用することができる。
この構成によれば、テレセントリック性を確保しつつ、レンズ全長の短縮化、小型化を達成することができ、又、諸収差、特に歪曲収差を良好に補正することができる。
【００１０】
上記構成において、第３レンズの像面側の面から像面までの光軸上の間隔をＤ７、レンズ全系の焦点距離をｆとするとき、下記条件式（９）
（９）２．０５＜ｆ／Ｄ７＜２．１７
を満足する、構成を採用することができる。
この構成によれば、ＣＣＤ等の撮像素子を備えたカメラ用レンズに必要なバックフォーカスを確保しつつ、諸収差、特に歪曲収差を良好に補正することができる。
【００１１】
上記構成において、開口絞りから第３レンズの物体側の面までの光軸上の間隔をＤ３、レンズ全系の焦点距離をｆとするとき、下記条件式（１０）
（１０）ｆ／Ｄ３＞５．２
を満足する、構成を採用することができる。
この構成によれば、レンズ全長を短くでき、薄型化、小型化を達成しつつ、諸収差、特に非点収差、歪曲収差を良好に補正することができる。
【発明の効果】
【００１２】
上記構成をなす撮像レンズによれば、３群３枚という構成で、特にレンズ全長がバックフォーカスを含めないで３ｍｍ以下であり、Ｆナンバーが２．８程度のレンズ明るさをもち、３０万画素程度の撮像素子に適した高い光学性能を確保でき、軽量、小型、及び薄型で安価な撮像レンズが得られる。
【発明を実施するための最良の形態】
【００１３】
以下、本発明の最良の実施形態について、添付図面を参照しつつ説明する。
図１及び図２は、本発明に係る撮像レンズの一実施形態を示すものであり、図１は概略構成図、図２は光路図である。
この撮像レンズは、図１に示すように、物体側から像面側に向けて順に、正の屈折率をもつ第１レンズ１、所定の口径をなす開口絞りＳＤ、正の屈折率をもつ第２レンズ２、負の屈折力をもつ第３レンズ３により形成されている。そして、第３レンズ３の後方に像面Ｐが配置されている。
【００１４】
ここでは、第１レンズ１、開口絞りＳＤ、第２レンズ２、第３レンズ３、像面Ｐが、光軸Ｌに沿って物体側から像面側に向けて順に配列される構成において、図１に示すように、それぞれの面をＳｉ（ｉ＝１〜７）、それぞれの面Ｓｉの曲率半径をＲｉ（ｉ＝１〜７）、ｄ線に対する屈折率をＮｉ（ｉ＝１〜３）及びアッベ数をνｉ（ｉ＝１〜３）、第１レンズ１〜像面Ｐまでのそれぞれの光軸Ｌ上における間隔（厚さ、空気間隔）をＤｉ（ｉ＝１〜７）で表す。また、第１レンズ１の焦点距離をｆ１、レンズ全系の焦点距離をｆ、第１レンズ１（の物体側の面Ｓ１）から像面Ｐまでの距離をＴＬで表す。
【００１５】
第１レンズ１は、樹脂材料により形成され、正の屈折力をもつように、物体側の面Ｓ１が凸状をなしかつ像面側の面Ｓ２が凹状をなすメニスカス形状のプラスチックレンズである。また、物体側及び像面側の両面Ｓ１，Ｓ２は非球面として形成されている。
第２レンズ２は、樹脂材料により形成され、正の屈折力をもつように、物体側の面Ｓ４が凹状をなしかつ像面側の面Ｓ５が凸状をなすメニスカス形状のプラスチックレンズである。また、物体側及び像面側の両面Ｓ４，Ｓ５は非球面として形成されている。
第３レンズ３は、樹脂材料により形成され、負の屈折率をもつように、物体側の面Ｓ６が光軸Ｌ近傍において凸状で周辺部に向かうに連れて凹状をなし、かつ、像面側の面Ｓ７が光軸Ｌ近傍において凹状で周辺部に向かうに連れて凸状をなすように形成されたプラスチックレンズである。また、物体側及び像面側の両面Ｓ６，Ｓ７は、非球面として形成されている。
【００１６】
このように、第１レンズ１〜第３レンズ３の全てが樹脂材料（プラスチック）により形成されているため、ガラスレンズに比べて複雑な形状を容易に加工でき、例えば非球面を容易に形成でき、収差補正の自由度が増した分だけコンパクトな構成が可能になり、又、軽量化、低コスト化を達成できる。
【００１７】
また、第１レンズ１〜第３レンズ３の物体側及び像面側の両面Ｓ１，Ｓ２、Ｓ４，Ｓ５、Ｓ６，Ｓ７全てを非球面としたことにより、光軸方向Ｌの薄型化を達成しつつ、球面収差、非点収差、コマ収差等の諸収差を良好に補正でき、高い光学性能を確保することができる。
すなわち、第１レンズ１の両面Ｓ１，Ｓ２及び第２レンズ２の両面Ｓ４，Ｓ５を非球面とすることにより、薄型化を達成しつつ、レンズ全長ＴＬを短縮しつつ、球面収差、非点収差、コマ収差等の諸収差を補正することができる。また、第３レンズ３においては、仮に球面形状で同等の光学性能を得るにはさらに２枚以上のレンズが必要になり薄型化が困難になるが、両面Ｓ６，Ｓ７を非球面とすることにより、薄型化を達成できると共に、主に上光線側のコマ収差を補正しつつ諸収差を補正できる。
さらに、第３レンズ３においては、像面側の面Ｓ７が光軸Ｌ近傍において像面側に凹状でかつ周辺部に向かうに連れて像面側に凸状をなすように形成されているため、射出角度及び外径を小さくすることができ、レンズの小型化を達成できる。
【００１８】
ここで、第１レンズ１〜第３レンズ３の非球面を表す式は、次式で規定される。
Ｚ＝Ｃｙ２／［１＋（１−εＣ２ｙ２）１／２］＋Ｄｙ４＋Ｅｙ６＋Ｆｙ８＋Ｇｙ１０＋Ｈｙ１２
ただし、Ｚ：非球面の頂点における接平面から，光軸Ｌからの高さがｙの非球面上の点までの距離、ｙ：光軸からの高さ、Ｃ：非球面の頂点における曲率（１／Ｒ）、ε：円錐定数、Ｄ，Ｅ，Ｆ，Ｇ，Ｈ：非球面係数である。
【００１９】
また、第１レンズ１のアッベ数ν１、第２レンズ２のアッベ数ν２、第３レンズ３のアッベ数ν３は、次の条件式（１），（２），（３）
（１）｜ν１−ν２｜＜２０
（２）｜ν２−ν３｜＜２０
（３）｜ν１−ν３｜＜２０
を満足するように形成されている。
このように、条件式（１），（２），（３）を満たすことにより、第１レンズ１、第２レンズ２、及び第３レンズ３の素材として近似した樹脂材料を用いることで、生産コストを低減でき、全て同一のアッベ数となる樹脂材料を用いた場合さらに生産コストを低減することができる。
【００２０】
ここで、上記構成においては、第１レンズ１のアッベ数ν１、第２レンズ２のアッベ数ν２、及び第３レンズ３のアッベ数ν３が、好ましくは、次の条件式（４），（５），（６）
（４）３０＜ν１＜６０
（５）３０＜ν２＜６０
（６）３０＜ν３＜６０
を満足するように形成されてもよい。
このように、条件式（４），（５），（６）を満たすことにより、第１レンズ１〜第３レンズ３としてアッベ数ν１，ν２，ν３が３０〜６０の範囲に入った素材のレンズを利用することになるため、プラスチック材料を選定する自由度が増加し、要求に応じた仕様を適宜選択することができる。
【００２１】
また、上記構成においては、第１レンズ１の焦点距離ｆ１、レンズ全系の焦点距離ｆ、第１レンズ１の物体側の面Ｓ１から像面Ｐまでの距離ＴＬが、好ましくは、次の条件式（７），（８）
（７）０．９５＜ｆ１／ｆ＜１．０５
（８）ＴＬ／ｆ＜１．３５
を満足するように形成されてもよい。
条件式（７）は、第１レンズ１の焦点距離に関するものである。ｆ１／ｆの値が条件式（７）の上限値以上となると、第１レンズ１のパワーが小さくなり過ぎて像面湾曲の補正が困難となり、又、射出角度が大きくなってテレセントリック性が悪化するため好ましくない。一方、ｆ１／ｆの値が条件式（７）の下限値以下となると、第１レンズ１のパワーが大きくなって像面湾曲の補正が困難となる。
条件式（８）は、レンズ全長ＴＬを規定するものである。ＴＬの値がこの範囲を逸脱すると、薄型化、小型化を維持できなくなり、収差補正とのバランスがとれなくなる。
したがって、条件式（７），（８）を満たすことにより、テレセントリック性を確保しつつ、レンズ全長の短縮化、小型化を達成することができ、又、諸収差、特に歪曲収差を良好に補正することができる。
【００２２】
また、上記構成においては、第３レンズ３の像面側の面Ｓ７から像面Ｐまでの光軸Ｌ上の間隔Ｄ７、レンズ全系の焦点距離ｆが、好ましくは、次の条件式（９）
（９）２．０５＜ｆ／Ｄ７＜２．１７
を満足するように形成されてもよい。
条件式（９）は、ＣＣＤカメラ用レンズに必要なバックフォーカスを確保するための条件式である。ｆ／Ｄ７の値が条件式（９）の下限値以上になってバックフォーカスが長くなると、第１レンズ１のパワーを小さくする必要があり、発生する負の歪曲収差が大きくなる。一方、ｆ／Ｄ７の値が条件式（９）の上限値以上になってバックフォーカスが短くなると、ＣＣＤカメラ用レンズに必要な赤外カットフィルターやパスフィルター等を配置するための十分なスペースが無くなってしまう。
したがって、条件式（９）を満たすことにより、ＣＣＤ等の撮像素子を備えたカメラ用レンズに必要なバックフォーカスを確保しつつ、諸収差、特に歪曲収差を良好に補正することができる。
【００２３】
さらに、上記構成においては、開口絞りＳＤから第３レンズ３の物体側の面Ｓ６までの光軸Ｌ上の間隔Ｄ３が、好ましくは、次の条件式（１０）
（１０）ｆ／Ｄ３＞５．２
を満足するように形成されてもよい。
条件式（１０）は、開口絞りＳＤと第３レンズ３との光軸方向Ｌにおける適切なレンズ間隔を定めたものである。ｆ／Ｄ３の値が条件式（１０）から逸脱すると射出瞳までの距離が長くなり撮像素子に入射する光線の角度が小さくなるためテレセントリック性は良いが、レンズ全長が比較して長くなり又第３レンズ３の外径が大きくなり、薄型化、小型化という点では好ましくなく、又、特に、非点収差、歪曲収差の補正が困難になる。
したがって、条件式（１０）を満たすことにより、薄型化、小型化を達成しつつ、諸収差、特に非点収差、歪曲収差を良好に補正することができる。
【００２４】
次に、上記撮像レンズの具体的な数値による実施例を、実施例１、実施例２として以下に示す。
【実施例１】
【００２５】
実施例１における条件式（１）〜（１０）の数値データ、第１レンズ１〜第３レンズ３の主な仕様諸元、種々の数値データ（設定値）は以下の通りである。
＜条件式の値＞
（１）│ν１−ν２│＝０
（２）│ν２−ν３│＝０
（３）│ν１−ν３│＝０
（４）ν１＝５６．３
（５）ν２＝５６．３
（６）ν３＝５６．３
（７）ｆ１／ｆ＝２．９９／３．０５＝０．９８
（８）ＴＬ／ｆ＝４．０９／３．０５＝１．３４
（９）ｆ／Ｄ７＝３．０５／１．４２＝２．１６
（１０）ｆ／Ｄ３＝３．０５／０．５２＝５．８６
【００２６】
＜仕様諸元＞
物体距離＝６０ｃｍ、焦点距離（ｆ）＝３．０５ｍｍ、Ｆナンバー＝２．８、射出瞳位置＝３．０８ｍｍ、レンズ全長（ＴＬ）＝２．６７ｍｍ、バックフォーカス（空気換算）＝１．４２ｍｍ、画角（２ω）＝５９．６°、ディストーション（最大値）＝０．７％
＜曲率半径（非球面）＞
Ｒ１＝１．４０５ｍｍ、Ｒ２＝１０．６８８ｍｍ、Ｒ３＝∞、Ｒ４＝−０．７３３ｍｍ、Ｒ５＝−０．６６８ｍｍ、Ｒ６＝１０．３０９ｍｍ、Ｒ７＝１．９２０ｍｍ
＜光軸上の間隔＞
Ｄ１＝０．７２３ｍｍ、Ｄ２＝０．０３ｍｍ、Ｄ３＝０．５２１ｍｍ、Ｄ４＝０．６５３ｍｍ、Ｄ５＝０．１ｍｍ、Ｄ６＝０．６４９ｍｍ、Ｄ７＝１．４１５ｍｍ
＜屈折率（Ｎｄ）＞
Ｎ１＝１．５２５１２０、Ｎ２＝１．５２５１２０、Ｎ３＝１．５２５１２０
＜アッベ数（νｄ）＞
ν１＝５６．３、ν２＝５６．３、ν３＝５６．３
【００２７】
＜非球面係数の数値データ＞
＜Ｓ１面＞
ε＝１．５６９７５０、Ｄ＝−０．０２７４１１、Ｅ＝−０．０１５６９０、Ｆ＝３．１２８５９２×１０−３、Ｇ＝−０．０８２４９４、Ｈ＝０．０
＜Ｓ２面＞
ε＝０．０、Ｄ＝−０．０４６９４９、Ｅ＝−０．０３９７５６、Ｆ＝−０．２９８９７５、Ｇ＝０．４６８３４０、Ｈ＝０．０
＜Ｓ４面＞
ε＝１．１５５０３２、Ｄ＝０．１３２５５０、Ｅ＝−０．７４１７２１、Ｆ＝２．６３８３６０、Ｇ＝２．３８１６３０、Ｈ＝０．０
＜Ｓ５面＞
ε＝０．２０５１９４、Ｄ＝０．２２３２６２、Ｅ＝−０．６０２９６９、Ｆ＝０．３４３１１２、Ｇ＝１．１３２８３９、Ｈ＝−０．９１４７８４
＜Ｓ６面＞
ε＝８３．０２７７０４、Ｄ＝−０．１４５０３４、Ｅ＝−０．１５２６５７、Ｆ＝０．２８５２０、Ｇ＝−０．１４４９２７、Ｈ＝０．０
＜Ｓ７面＞
ε＝−２０．１７８４１９、Ｄ＝−０．１７５５６０、Ｅ＝０．０４７２３０、Ｆ＝−６．３０４３８×１０−３、Ｇ＝−２．１１６７２×１０−３、Ｈ＝０．０
【００２８】
この実施例１における球面収差、非点収差、歪曲収差（ディストーション）、倍率色収差に関する収差線図は図３に示すような結果となる。尚、図３において、Ｓはサジタル平面での収差、Ｍはメリジオナル平面での収差を示す。
この実施例１によるレンズ仕様によれば、レンズ全長（ＴＬ）が２．６７ｍｍ、Ｆナンバーが２．８の明るさをもち、球面収差、非点収差、歪曲収差、倍率色収差が良好に補正された光学性能の高い、薄型で小型の撮像レンズが得られる。
【実施例２】
【００２９】
実施例２における条件式（１）〜（１０）の数値データ、第１レンズ１〜第３レンズ３の主な仕様諸元、種々の数値データ（設定値）は以下の通りである。
＜条件式の値＞
（１）│ν１−ν２│＝０
（２）│ν２−ν３│＝０
（３）│ν１−ν３│＝０
（４）ν１＝３０．３
（５）ν２＝３０．３
（６）ν３＝３０．３
（７）ｆ１／ｆ＝３．００／２．９４＝１．０２
（８）ＴＬ／ｆ＝３．９６／２．９４＝１．３４
（９）ｆ／Ｄ７＝２．９４／１．４３＝２．０６
（１０）ｆ／Ｄ３＝２．９４／０．５６＝５．２５
【００３０】
＜仕様諸元＞
物体距離＝６０ｃｍ、焦点距離（ｆ）＝２．９４ｍｍ、Ｆナンバー＝２．８、射出瞳位置＝３．０６ｍｍ、レンズ全長（ＴＬ）＝２．５３ｍｍ、バックフォーカス（空気換算）＝１．４３ｍｍ、画角（２ω）＝６１．２°、ディストーション（最大値）＝１．３％
＜曲率半径（非球面）＞
Ｒ１＝１．４７３ｍｍ、Ｒ２＝７．７５６ｍｍ、Ｒ３＝∞、Ｒ４＝−０．７５１ｍｍ、Ｒ５＝−０．６６９ｍｍ、Ｒ６＝６．５７２ｍｍ、Ｒ７＝１．６０９ｍｍ
＜光軸上の間隔＞
Ｄ１＝０．６３１ｍｍ、Ｄ２＝０．０２ｍｍ、Ｄ３＝０．５５８ｍｍ、Ｄ４＝０．６４８ｍｍ、Ｄ５＝０．１５ｍｍ、Ｄ６＝０．５２６ｍｍ、Ｄ７＝１．４２７ｍｍ
＜屈折率（Ｎｄ）＞
Ｎ１＝１．５８３８１６、Ｎ２＝１．５８３８１６、Ｎ３＝１．５８３８１６
＜アッベ数（νｄ）＞
ν１＝３０．３、ν２＝３０．３、ν３＝３０．３
【００３１】
＜非球面係数の数値データ＞
＜Ｓ１面＞
ε＝１．８６１２７０、Ｄ＝−０．０４１０５５、Ｅ＝−３．８１９１０×１０−３、Ｆ＝−０．０５０４６０、Ｇ＝−０．０７１００８、Ｈ＝０．０
＜Ｓ２面＞
ε＝−２９．０、Ｄ＝−０．０３１８４６、Ｅ＝−０．０７７２２０、Ｆ＝−０．２０６５７２、Ｇ＝０．２７４８０１、Ｈ＝０．０
＜Ｓ４面＞
ε＝１．１７３８４２、Ｄ＝０．１４４６９６、Ｅ＝−０．８５７３２２、Ｆ＝２．９８４９０５、Ｇ＝１．２２３９２６、Ｈ＝０．０
＜Ｓ５面＞
ε＝０．１７７０７３、Ｄ＝０．２４９５３０、Ｅ＝−０．５７１９１２、Ｆ＝０．２４７５４１、Ｇ＝１．０２９１４０、Ｈ＝−０．７９００１０
＜Ｓ６面＞
ε＝−４９．０、Ｄ＝−０．１３７６０７、Ｅ＝−０．１４２１３４、Ｆ＝０．２８８５５０、Ｇ＝−０．１５００１１、Ｈ＝０．０
＜Ｓ７面＞
ε＝−１５．８６４２６９、Ｄ＝−０．１９６６００３、Ｅ＝０．０６１７１０、Ｆ＝−３．９０３０９×１０−３、Ｇ＝−５．９７０３１×１０−３、Ｈ＝０．０
【００３２】
この実施例２における球面収差、非点収差、歪曲収差（ディストーション）、倍率色収差に関する収差線図は図４に示すような結果となる。尚、図４において、Ｓはサジタル平面での収差、Ｍはメリジオナル平面での収差を示す。
この実施例２によるレンズ仕様によれば、レンズ全長（ＴＬ）が２．５３ｍｍ、Ｆナンバーが２．８の明るさをもち、球面収差、非点収差、歪曲収差、倍率色収差が良好に補正された光学性能の高い、薄型で小型の撮像レンズが得られる。
【産業上の利用可能性】
【００３３】
以上述べたように、本発明の撮像レンズは、超小型及び薄型で３０万画素程度の撮像素子に対応し得る高い光学性能を確保できるため、デジタルスチルカメラ、車載用カメラ、携帯情報端末機（携帯電話機、ＰＤＡ、携帯型パーソナルコンピュータ等）のモバイルカメラ等の撮像レンズとして適用できるのは勿論のこと、固定式のカメラの撮像レンズ、あるいはその他の用途に用いられるカメラの撮像レンズとしても有用である。
【図面の簡単な説明】
【００３４】
【図１】本発明に係る撮像レンズの一実施形態を示す概略構成図である。
【図２】図１に示す撮像レンズの光路図である。
【図３】実施例１における、球面収差、非点収差、歪曲収差、倍率色収差を示す収差図である。
【図４】実施例２における、球面収差、非点収差、歪曲収差、倍率色収差を示す収差図である。
【符号の説明】
【００３５】
Ｌ  光軸
ＴＬ  レンズ全長
ｆ  レンズ全系の焦点距離
ｆ１  第１レンズの焦点距離
１  第１レンズ
２  第２レンズ
３  第３レンズ
ＳＤ  開口絞り
Ｐ  像面
ν１  第１レンズのアッベ数
ν２  第２レンズのアッベ数
ν３  第３レンズのアッベ数
Ｄ３  開口絞りから第３レンズの物体側の面までの光軸上の間隔
Ｄ７  第３レンズの像面側の面から像面までの光軸上の間隔
【図１】
2006301221.tif 000003
【図２】
2006301221.tif 000004
【図３】
2006301221.tif 000005
【図４】
2006301221.tif 000006